(57)【特許請求の範囲】
【請求項１】
蓋体を有し、前記蓋体が筐体本体の側面に設けた回転軸を中心として開閉する筐体において、
前記回転軸側の側面と相対する蓋体側面に当該蓋体の閉蓋状態を保持するため設けた係止部と、
同じく前記回転軸側の側面と相対する筐体本体側面に前記蓋体の係止部と当接し、この係止部を拘束あるいは開放して前記蓋体を閉蓋状態もしくは開蓋状態とするために回転自在な係止爪を設けたロックカムと、
前記蓋体の閉蓋状態と開蓋状態とで前記ロックカムの回動方向が前記係止部を拘束もしくは開放それぞれ異なる方向に付勢するトグルばねと、
前記ロックカムに密着し操作ツマミ側に２ヶ所の突起部を設けた伝達体と、
前記伝達体の２ヶ所の突起部に相対し当該突起部をそれぞれ押す２ヶ所の操作突起を設けると共に、筐体本体側に向かって伸びる復帰用突起部を設けた操作ツマミと、
前記筐体本体に固定され前記操作ツマミに設けた復帰用突起部を当接するように構成したしたねじりばねとを備え、
前記操作ツマミは、その操作部が前記筐体本体の側面にて左右双方向に移動可能に構成しており、
前記蓋体の閉蓋状態から開蓋する際、前記操作ツマミの左右どちらの操作方向であっても一方の操作突起が前記伝達体の相対する方の突起部を押すことにより前記トグルばねの反転位置まで前記ロックカムを回動操作させ、筐体の蓋体を開蓋すると共に、前記復帰用突起部が当接したねじりばねのばね力により、前記操作部各方向の操作に対して常に反対方向の力が加えられ、当該操作部が常に中間位置に復帰するように構成したことを特徴とする蓋体開閉装置。
【発明の詳細な説明】
【０００１】
【発明の属する技術分野】
本発明は、ポータブルカセットテープレコーダ等のように本体の一辺に設けた回転軸を中心として開閉する開閉蓋を有する小型の筐体の機器に使用して有効な蓋体開閉装置に関するものである。
【０００２】
【従来の技術】
従来この種の蓋体開閉装置は特開平５−３４２８２９号公報に記載されたものが知られている。図９はこの従来の蓋体開閉装置において、その装置を用いたカセットテープレコーダのロック部の構成を示す分解斜視図、図１０は同閉蓋状態を示す側面図である。
【０００３】
図９および図１０において、カセットテープレコーダの本体キャビネット３２ａ上に配設された中間キャビネット３２ｂには、ツマミ飾り３３と、ロックカム３４を回転自在に支持するロックカム支持基板３５とが取り付けられており、このロックカム支持基板３５の軸穴３５ａに嵌合する回転軸３６に、ロックカム３４が軸穴３４ａで回転自在に支持されているとともに、この回転軸３６により操作ツマミ３７が回転自在に支持されている。この操作ツマミ３７はツマミ飾り３３の中央穴３３ａに嵌合されており、この操作ツマミ３７により蓋体３１の閉蓋時にロックカム３４を回動操作する。蓋体３１には係止片３１ａが、ロックカム３４の対向位置に配設されている。ロックカム３４には、係止片３１ａに係合する係止爪３４ｂと、蓋体３１の開蓋状態で係止片３１ａ側に突出する押接部３４ｃが備えられている。また、このロックカム３４には、回転軸３６を中心とする押接部３４ｃと反対位置にばね作用部３４ｄが設けられ、このばね作用部３４ｄと、ロックカム支持基板３５に設けられたばね基点部３５ｂとの間に、トグルばね３８が設けられている。ロックカム支持基板３５には、中間キャビネット３２ｂに形成したボス３２ｃに対する取り付け穴３５ｃが形成され、また、ツマミ飾り３３には同様に取り付け穴３３ｂが形成され、ビス３９で共締めされている。また、操作ツマミ３７には、ツマミ飾り３３の中央穴３３ａを塞ぐ平板部３７ａと、蓋体３１の開蓋時にロックカム３４を回動操作する作用点となる突起３７ｂとが形成されており、この操作ツマミ３７は常時時計方向に回転付勢されている。以上の構成により、図１０の閉蓋状態においてはトグルばね３８の反発力により、ロックカム３４は時計方向に付勢され、係止爪３４ａにより係止片３１ａが中間キャビネット３２ｂ側に押接され、閉蓋状態を保持している。開蓋時には、操作ツマミ３７を反時計方向に回動することにより、操作ツマミ３７の突起３７ｂによってロックカム３４の押接部３４ｃ下にある周面３２ｅが作用され、ロックカム３５は反時計方向に回動する。トグルばね４０が、少なくとも中立点を越える位置まで操作ツマミ３７を反時計方向に回動することによりトグルばね３７の付勢力の方向が変わり、ロックカム３４は閉蓋時とは逆に反時計方向の回転付勢力を受け、開蓋状態を得るよう構成されている。
【０００４】
【発明が解決しようとする課題】
このような従来の蓋体開閉装置においては、特にポータブル機器においては開蓋操作を片手で行うことが多いが、その開閉装置の操作部のスライド方向が一方向であるため、片手で操作する場合、操作者が右利きか左利きかで操作しやすい方向が異なり、利き腕でないほうの手で操作しなければならない場合での使い勝手が悪いものであった。
【０００５】
本発明は、蓋体が機器本体の側面に設けた回転軸を中心として開閉する蓋体開閉装置において、当該開蓋操作部を異なるどちらの方向に移動操作しても開蓋操作を行うことができ、当該蓋開閉装置を備えたポータブル機器の開蓋を片手で操作する際、操作者が右利き及び左利きのどちらであっても容易に開蓋操作を行なうことをができることを目的としてなされたものである。
【０００６】
【課題を解決するための手段】
この課題を解決するための本発明の蓋体開閉装置は、蓋体を有し、前記蓋体が筐体本体の側面に設けた回転軸を中心として開閉する筐体において、前記回転軸側の側面と相対する蓋体側面に当該蓋体の閉蓋状態を保持するため設けた係止部と、同じく前記回転軸側の側面と相対する筐体本体側面に前記蓋体の係止部と当接し、この係止部を拘束あるいは開放して前記蓋体を閉蓋状態もしくは開蓋状態とするために回転自在な係止爪を設けたロックカムと、前記蓋体の閉蓋状態と開蓋状態とで前記ロックカムの回動方向が前記係止部を拘束もしくは開放それぞれ異なる方向に付勢するトグルばねと、前記ロックカムに密着し操作ツマミ側に２ヶ所の突起部を設けた伝達体と、前記伝達体の２ヶ所の突起部に相対し当該突起部をそれぞれ押す２ヶ所の操作突起を設けると共に、筐体本体側に向かって伸びる復帰用突起部を設けた操作ツマミと、前記筐体本体に固定され前記操作ツマミに設けた復帰用突起部を当接するように構成したしたねじりばねとを備え、前記操作ツマミは、その操作部が前記筐体本体の側面にて左右双方向に移動可能に構成しており、前記蓋体の閉蓋状態から開蓋する際、前記操作ツマミの左右どちらの操作方向であっても一方の操作突起が前記伝達体の相対する方の突起部を押すことにより前記トグルばねの反転位置まで前記ロックカムを回動操作させ、筐体の蓋体を開蓋すると共に、前記復帰用突起部が当接したねじりばねのばね力により、前記操作部各方向の操作に対して常に反対方向の力が加えられ、当該操作部が常に中間位置に復帰するように構成したものである。
【０００７】
これにより、操作部を左右いずれの方向に操作しても開蓋操作を行うことができ、たとえば当該蓋開閉装置を備えたポータブル機器の開蓋を片手で操作する際、操作者が右利き及び左利きのどちらであっても容易に開蓋操作を行い得るものである。
【０００８】
【発明の実施の形態】
本発明の請求項に記載の発明は、蓋体を有し、蓋体を有し、前記蓋体が筐体本体の側面に設けた回転軸を中心として開閉する筐体において、前記回転軸側の側面と相対する蓋体側面に当該蓋体の閉蓋状態を保持するため設けた係止部と、同じく前記回転軸側の側面と相対する筐体本体側面に前記蓋体の係止部と当接し、この係止部を拘束あるいは開放して前記蓋体を閉蓋状態もしくは開蓋状態とするために回転自在な係止爪を設けたロックカムと、前記蓋体の閉蓋状態と開蓋状態とで前記ロックカムの回動方向が前記係止部を拘束もしくは開放それぞれ異なる方向に付勢するトグルばねと、前記ロックカムに密着し操作ツマミ側に２ヶ所の突起部を設けた伝達体と、前記伝達体の２ヶ所の突起部に相対し当該突起部をそれぞれ押す２ヶ所の操作突起を設けると共に、筐体本体側に向かって伸びる復帰用突起部を設けた操作ツマミと、前記筐体本体に固定され前記操作ツマミに設けた復帰用突起部を当接するように構成したしたねじりばねとを備え、前記操作ツマミは、その操作部が前記筐体本体の側面にて左右双方向に移動可能に構成しており、前記蓋体の閉蓋状態から開蓋する際、前記操作ツマミの左右どちらの操作方向であっても一方の操作突起が前記伝達体の相対する方の突起部を押すことにより前記トグルばねの反転位置まで前記ロックカムを回動操作させ、筐体の蓋体を開蓋すると共に、前記復帰用突起部が当接したねじりばねのばね力により、前記操作部各方向の操作に対して常に反対方向の力が加えられ、当該操作部が常に中間位置に復帰するように構成したものである。
【０００９】
これにより、操作部を左右いずれの方向へ移動することによっても開蓋操作を行うことができ、たとえば当該蓋開閉装置を備えたポータブル機器の開蓋を片手で操作する際、操作者が右利き及び左利きのいずれであっても容易に開蓋操作を行い得るという作用を有する。
【００１０】
（実施の形態）
次に本発明の実施の形態における蓋体開閉装置を用いたカセットテープレコーダについて図を用いて説明する。
【００１１】
図１は本発明の実施の形態における蓋体開閉装置を用いたカセットテープレコーダの開蓋状態での正面部分切欠図、図２はロック部の構成を示す側面断面図、図３は同分解斜視図、図４は同斜視図、図５は同正面図、図６はカセットテープレコーダ全体の閉蓋状態での正面部分切り欠き図、図７は操作ツマミを左側に動かした時の動きを示す部分切り欠き図、図８は操作ツマミを右側に動かした時の動きを示す部分切り欠き図である。
【００１２】
図において、１はカセットテープレコーダの蓋体、１ａは蓋体に設けた係止部を構成する係止片、２はカセットテープレコーダ本体であり、この本体２には下面部およびこれに続く側面部をなす主キャビネット２ａと、この主キャビネット２ａ上に配設される中間キャビネット２ｂとが構成されている。そして、蓋体１は、本体２の一辺において中間キャビネット２ｂに設けた回転軸（図示せず）を中心として回動して開閉するように構成され、前記係止片１ａは蓋体１の前記回転軸と対向する一辺に設けられている。また、中間キャビネット２ｂにおける前記回転軸と対向する一辺には閉蓋時から開蓋操作を行うための操作ツマミ３を設けており、この操作ツマミ３は図５に示すように機器の左右どちら側にでもスライドするよう構成されている。
【００１３】
本発明の実施の形態における蓋体開閉装置を用いたカセットテープレコーダは図１〜図４に示すように伝達体４とロックカム５は伝達体４の嵌合突起４ａおよび４ｂとそれに相対するロックカム５の孔５ａおよび５ｂにて同調して動くべく嵌合した上、ビス６ａによる締結で中間キャビネット２ｂの回転軸２ｂａを中心として回動自在である。ロックカム５には、蓋体１に設けた係止片１ａの係止部１ａａをロックする係止爪５ｃと、開蓋操作で蓋体１側に突出し、係止片１ａを押し上げる押接部５ｄが備えられている。また、このロックカム５を開状態、閉状態に保持する目的でトグルばね７をロックカム５の作用部５ｅと、中間キャビネット２ｂに設けたトグルばね基点部２ｂｂとの間に掛けている。伝達体４には操作ツマミ３側に突起部４ｃおよび４ｄを設けてある。操作ツマミ３にはこの突起部４ｃおよび４ｄに相対するようそれぞれ操作突起３ａおよび３ｂを設けてある。また前記操作ツマミ３には別の復帰用突起部３ｃが設けてある。前記操作ツマミ３は、この突起部３ｃとそれに相対すべく中間キャビネット２ｂに設けたボス２ｂｃにビス６ｂにより固定され、且つ突起部３ｃに当節したねじりばね８でもって、通常は中間位置にある。
【００１４】
本発明の蓋体開閉装置の閉蓋状態は、図６の部分切欠図のようにロックカム５がトグルばね７の付勢力により回転軸２ｂａを中心として時計方向に回転付勢されており、係止爪５ｃを係止片１ａに設けた係止部１ａａに押し当てることにより、蓋体１を中間キャビネット２ｂ側に拘束保持している。
【００１５】
次に本発明の蓋体開閉装置を上記閉蓋状態から操作ツマミ３を図５の矢印Ａ側にスライドしたときの開蓋動作について図６および図７を用いて説明する。
【００１６】
図６の閉蓋状態で操作ツマミ３を左側に操作すると図７に示すように操作突起３ａが伝達体４の突起部４ｃを左に押し、ロックカム５が回転軸２ｂａを中心として反時計回りし開動作をする。このときロックカム５がトグルばね７に対し相対的に移動するため、今までロックカム５を時計回りに付勢する力を発生していたトグルばね７はロックカム５を開状態、反時計回りに付勢保持する。同時にロックカム５の押接部５ｄが蓋体１側に突出することにより、蓋体１に設けた係止片１ａを押し上げ開蓋動作が完了する。この時前記操作ツマミ３の復帰用突起部３ｃは、相対する当節したねじりばね８の左側８ａを押す。この時生じるねじりばね８のばね力でもって操作ツマミ３には中央に押し返される力が生じ中間位置復帰し、開蓋動作が完了する。
【００１７】
次に本発明の蓋体開閉装置を上記閉蓋状態から操作ツマミ３を矢印Ｂ側にスライドしたときの開蓋動作について図６および図８を用いて説明する。
【００１８】
同じく図６の閉蓋状態で操作ツマミ３を右側に操作すると図８に示すように操作突起３ｄが伝達体４の突起部４ｄを右に押し、ロックカム５が回転軸２ｂａを中心として反時計回りすなわちこれもまた同じように開動作し、ロックカム５を開状態、反時計回りに付勢保持する。同時にロックカム５の押接部５ｄが蓋体１側に突出することにより、蓋体１に設けた係止片１ａを押し上げ開蓋動作が完了する。この時前記操作ツマミ３の復帰用突起部３ｃは、相対する当接したねじりばね８の右側８ｂを押す。この時生じるねじりばね８のばね力でもって操作ツマミ３には中央に押し返される力が生じ中間位置復帰し、開蓋動作が完了する。
【００１９】
次に本発明の蓋体開閉装置の閉蓋動作について図１および図６を用いて説明する。
先にも述べたが、図１は本発明の蓋体開閉装置におけるカセットテープレコーダの開蓋状態を表す部分切欠図である。
蓋体１を開放した開蓋状態から閉蓋する際、図１の状態があり、この図１の状態から蓋体１をさらに閉蓋していくと、係止片１ａの第１の係止部１ａａとロックカム５の押接部５ｄが当接し、さらに閉蓋していくと、ロックカム５は、それぞれ回転軸２ｂａを中心として時計回りしトグルばね７の中立点を越える。中立点を越えた時点でそれまでロックカム５に反時計回りの付勢力を加えていたトグルばね７は時計まわりの付勢力を発生する。このためロックカム５はトグルばね７の力で時計回りし、ロックカム５の係止爪５ｃが蓋体１の係止片１ａに設けた係止部１ａａに押し当たる。この力により蓋体１は中間キャビネット２ｂ側に拘束保持され図６に示すように閉蓋状態となる。
【００２０】
【発明の効果】
以上のように本発明によれば、蓋開閉装置の操作部を左右いずれの方向に移動（スライド）しても開蓋操作を行うことができ、当該蓋開閉装置を備えた筐体を開蓋するため片手で操作する際、操作者が右利き及び左利きのどちらであっても容易に開蓋操作を行い得るものであり、その操作性が向上し、使い勝手が極めて良くなるものである。
【図面の簡単な説明】
【図１】本発明の一実施の形態による蓋体開閉装置を用いたカセットテープレコーダにおける閉蓋途中状態での正面部分切欠図
【図２】同カセットテープレコーダのロック部の構成を示す側面断面図
【図３】同カセットテープレコーダの分解斜視図
【図４】同カセットテープレコーダの斜視図
【図５】  同カセットテープレコーダの正面図
【図６】  同カセットテープレコーダの閉蓋状態での正面部分切り欠き図
【図７】  同カセットテープレコーダの操作ツマミを左側に動かした時の動きを示す部分切り欠き図
【図８】同カセットテープレコーダの操作ツマミを右側に動かした時の動きを示す部分切り欠き図
【図９】従来の蓋体開閉装置を用いたカセットテープレコーダのロック部の構成を示す分解斜視図
【図１０】  従来の蓋体開閉装置を用いたカセットテープレコーダの閉蓋時を示す側面図
【符号の説明】
１      蓋体
１ａ    係止部
２      本体
２ａ    主キャビネット
２ｂ    中間キャビネット
３      操作ツマミ
４      伝達片
５      ロックカム
５ｃ    係止爪
６      ビス
７      トグルばね
８      ねじりばね
【図１】
0003736163.tif 000002
【図２】
0003736163.tif 000003
【図３】
0003736163.tif 000004
【図４】
0003736163.tif 000005
【図５】
0003736163.tif 000006
【図６】
0003736163.tif 000007
【図７】
0003736163.tif 000008
【図８】
0003736163.tif 000009
【図９】
0003736163.tif 000010
【図１０】
0003736163.tif 000011